【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
第１のネットワークデバイスにおいて、通信ネットワークの前記第１のネットワークデバイスと低電力ネットワークデバイスとの間に通信リンクを確立することと、
前記第１のネットワークデバイスにおいて、前記第１のネットワークデバイスと前記低電力ネットワークデバイスとの間の情報の交換に基づいて、前記低電力ネットワークデバイスのスリープモードに関連付けられるスリープ持続時間を決定することと、
前記第１のネットワークデバイスにおいて、前記低電力ネットワークデバイスが前記スリープモードにあるか否かを決定することと、
前記低電力ネットワークデバイスが前記スリープモードにあると決定するのに応答して、前記低電力ネットワークデバイスに向かうことになっている、前記通信ネットワークからのネットワークパケットを前記第１のネットワークデバイスにリダイレクトすることと、
前記通信ネットワークからの前記ネットワークパケットを前記第１のネットワークデバイスに記憶することと、
前記第１のネットワークデバイスが前記ネットワークパケットを記憶していることを前記低電力ネットワークデバイスに通知することとを備える、方法。
【請求項２】
前記通信リンクを前記確立することは、前記第１のネットワークデバイスと前記低電力ネットワークデバイスとの間で関連付け情報を交換することと、省電力情報を交換することとを備え、
特に、関連付け情報を前記交換することは、前記第１のネットワークデバイスおよび前記低電力ネットワークデバイスのネットワークアドレスを交換することを備え、
または特に、省電力情報を前記交換することは、前記低電力ネットワークデバイスが電池駆動式デバイスであり、前記第１のネットワークデバイスが無停電電源に接続されることを指示する情報を交換することを備える、請求項１に記載の方法。
【請求項３】
前記スリープ持続時間を前記決定することは、スリープスケジュールを決定することを備え、前記スリープスケジュールは、前記低電力ネットワークデバイスが前記スリープ持続時間にわたって前記スリープモードにある時間間隔を繰り返すことを含み、
または、前記スリープ持続時間を前記決定することは、前記第１のネットワークデバイスと前記低電力ネットワークデバイスとの間の情報の前記交換に基づいて前記低電力ネットワークデバイスと前記スリープ持続時間をネゴシエートすることを備え、
または、前記第１のネットワークデバイスと前記低電力ネットワークデバイスとの間の情報の前記交換に基づいて前記低電力ネットワークデバイスの前記スリープモードに関連付けられる前記スリープ持続時間を前記決定することは、
利用可能な記憶容量情報を前記低電力ネットワークデバイスに送ることと、
省電力要件を前記低電力ネットワークデバイスから受信することと、
前記利用可能な記憶容量情報と、前記省電力要件とに基づいて前記スリープ持続時間を決定することとを備える、請求項１に記載の方法。
【請求項４】
前記第１のネットワークデバイスにおいて、前記低電力ネットワークデバイスが前記スリープモードにあるか否かを前記決定することは、前記低電力ネットワークデバイスによって送られた電力管理ビットが設定されるか、リセットされるかを決定することを備え、
または、前記方法は、前記第１のネットワークデバイスにおいて、前記低電力ネットワークデバイスがアクティブモードにあると決定することと、
前記低電力ネットワークデバイスが前記アクティブモードにあると決定するのに基づいて、前記第１のネットワークデバイスにおいて記憶される前記リダイレクトされたネットワークパケットを前記低電力ネットワークデバイスに送ることとをさらに備える、請求項１に記載の方法。
【請求項５】
前記低電力ネットワークデバイスに向かうことになっている、前記通信ネットワークからの前記ネットワークパケットを前記リダイレクトすることは、前記ネットワークパケットを前記第１のネットワークデバイスにリダイレクトするために、前記通信ネットワークのアクセスポイントにあるアドレステーブル内のエントリを変更することを備え、
または、前記第１のネットワークデバイスが前記リダイレクトされたネットワークパケットを記憶していることを前記低電力ネットワークデバイスに前記通知することは、前記低電力ネットワークデバイスに、前記第１のネットワークデバイスが前記リダイレクトされたネットワークパケットを記憶していることを指示するトラフィック指示マップを送ることを備え、
または、前記方法は、前記通信ネットワークのアクセスポイントにあるアドレステーブル内のエントリを変更することによって、前記低電力ネットワークデバイスに向かうことになっている、ネットワークパケットの前記リダイレクトを無効にすることをさらに含む、請求項１に記載の方法。
【請求項６】
低電力ネットワークデバイスにおいて、通信ネットワークの前記低電力ネットワークデバイスと第１のネットワークデバイスとの間に通信リンクを確立することと、
前記低電力ネットワークデバイスにおいて、前記低電力ネットワークデバイスと前記第１のネットワークデバイスとの間の情報の交換に基づいて、前記低電力ネットワークデバイスのスリープモードに関連付けられるスリープ持続時間を決定することと、
前記低電力ネットワークデバイスにおいて前記スリープモードに入ることと、
前記スリープ持続時間の満了に応答して、前記低電力ネットワークデバイスにおいて始動モードに入ることと、
前記低電力ネットワークデバイスが前記スリープモードに入るのに応答して、前記第１のネットワークデバイスによって設定された、前記低電力ネットワークデバイスに向かうことになっている、前記通信ネットワークからのネットワークパケットのリダイレクションを無効にすること、
前記低電力ネットワークデバイスにおいて、前記低電力ネットワークデバイスが前記スリープモードにあった間に、前記第１のネットワークデバイスがネットワークパケットを記憶したと決定することと、
前記第１のネットワークデバイスから前記記憶されたネットワークパケットを入手することとを備える、方法。
【請求項７】
前記通信リンクを前記確立することは、前記第１のネットワークデバイスと前記低電力ネットワークデバイスとの間で関連付け情報および省電力情報を交換することを備え、
または、前記スリープ持続時間を前記決定することは、スリープスケジュールを決定することを備え、前記スリープスケジュールは、前記低電力ネットワークデバイスが前記スリープ持続時間にわたって前記スリープモードにある時間間隔を繰り返すことを含み、
特に、前記低電力ネットワークデバイスにおいて前記スリープモードに前記入ることは、前記スリープスケジュールに基づいて前記スリープモードに入ることを備え、
または、前記第１のネットワークデバイスと前記低電力ネットワークデバイスとの間の情報の交換に基づいて前記スリープ持続時間を前記決定することは、
省電力要件を前記低電力ネットワークデバイスから送ることと、
利用可能な記憶容量情報を前記第１のネットワークデバイスから受信することと、
前記利用可能な記憶容量情報と、前記省電力要件とに基づいて前記スリープ持続時間を決定することとを備える、請求項６に記載の方法。
【請求項８】
前記スリープモードに入ると、前記通信ネットワーク内の前記第１のネットワークデバイスに指示を送ることをさらに備え、
または、前記通信ネットワークからの前記ネットワークパケットの前記リダイレクションを前記無効にすることは、前記通信ネットワークのアクセスポイントにあるアドレステーブル内のエントリを変更することを備え、
または、前記低電力ネットワークデバイスが前記スリープモードにあった間に、前記第１のネットワークデバイスがネットワークパケットを記憶したと前記決定することは、前記第１のネットワークデバイスによって設定されたトラフィック指示マップが、記憶されたネットワークパケットを指示するか否かを決定することを備え、
または、前記方法は、前記低電力ネットワークデバイスにおいて前記始動モードに入るのに応答して、前記通信ネットワークとのインターネットプロトコル（ＩＰ）接続がアクティブであるか否かを決定することと、
前記通信ネットワークとの前記ＩＰ接続がアクティブでないと決定するのに基づいて、前記通信ネットワークとの前記ＩＰ接続を再確立することとをさらに備える、請求項６に記載の方法。
【請求項９】
ネットワークデバイスであって、
ネットワークインターフェースと、
省電力ユニットとを備え、前記省電力ユニットは、
前記ネットワークデバイスにおいて、通信リンクを介しての前記ネットワークデバイスと低電力ネットワークデバイスとの間の情報の交換に基づいて、前記低電力ネットワークデバイスのスリープモードに関連付けられるスリープ持続時間を決定し、
前記ネットワークデバイスにおいて、前記低電力ネットワークデバイスが前記スリープモードにあるか否かを決定し、
前記低電力ネットワークデバイスが前記スリープモードにあると決定するのに応答して、前記低電力ネットワークデバイスに向かうことになっている、前記通信ネットワークからのネットワークパケットを前記ネットワークデバイスにリダイレクトし、
前記通信ネットワークからの前記ネットワークパケットを前記ネットワークデバイスにおいて記憶し、
前記ネットワークデバイスが前記ネットワークパケットを記憶していることを前記低電力ネットワークデバイスに通知するように構成される、ネットワークデバイス。
【請求項１０】
前記スリープ持続時間を決定するように構成される前記省電力ユニットは、スリープスケジュールを決定するように構成される前記省電力ユニットを備え、前記スリープスケジュールは、前記低電力ネットワークデバイスが前記スリープ持続時間にわたって前記スリープモードにある時間間隔を繰り返すことを含み、
または、前記第１のネットワークデバイスと前記低電力ネットワークデバイスとの間の情報の前記交換に基づいて前記低電力ネットワークデバイスの前記スリープモードに関連付けられる前記スリープ持続時間を決定するように構成される前記省電力ユニットは、
利用可能な記憶容量情報を前記低電力ネットワークデバイスに送り、
省電力要件を前記低電力ネットワークデバイスから受信し、
前記利用可能な記憶容量情報と、前記省電力要件とに基づいて前記スリープ持続時間を決定するように構成される前記省電力ユニットを備える、請求項９に記載のネットワークデバイス。
【請求項１１】
前記低電力ネットワークデバイスに向かうことになっている、前記通信ネットワークからの前記ネットワークパケットをリダイレクトするように構成される前記省電力ユニットは、前記ネットワークパケットを前記ネットワークデバイスにリダイレクトするために、前記通信ネットワークのアクセスポイントにあるアドレステーブル内のエントリを変更するように構成される前記省電力ユニットを備え、
または、前記ネットワークデバイスが前記リダイレクトされたネットワークパケットを記憶することを前記低電力ネットワークデバイスに通知するように構成される前記省電力ユニットは、前記ネットワークデバイスが前記リダイレクトされたネットワークパケットを記憶していることを前記低電力ネットワークデバイスに指示するトラフィック指示マップを送るように構成される前記省電力ユニットを備え、
または、前記省電力ユニットがさらに、
前記第１のネットワークデバイスにおいて、前記低電力ネットワークデバイスがアクティブモードにあると決定し、
前記低電力ネットワークデバイスが前記アクティブモードにあると決定するのに基づいて、前記ネットワークデバイスにおいて記憶された前記リダイレクトされたネットワークパケットを前記低電力ネットワークデバイスに送るように構成される、請求項９に記載のネットワークデバイス。
【請求項１２】
低電力ネットワークデバイスであって、
ネットワークインターフェースと、
省電力ユニットとを備え、前記省電力ユニットは、
前記低電力ネットワークデバイスにおいて、前記低電力ネットワークデバイスと第１のネットワークデバイスとの間の情報の交換に基づいて前記低電力ネットワークデバイスのスリープモードに関連付けられるスリープ持続時間を決定し、
前記低電力ネットワークデバイスにおいて前記スリープモードに入り、
前記スリープ持続時間の満了に応答して、前記低電力ネットワークデバイスにおいて始動モードに入り、
前記低電力ネットワークデバイスが前記スリープモードに入るのに応答して、前記第１のネットワークデバイスによって設定された、前記低電力ネットワークデバイスに向かうことになっている、前記通信ネットワークからのネットワークパケットのリダイレクションを無効にし、
前記低電力ネットワークデバイスにおいて、前記低電力ネットワークデバイスが前記スリープモードにあった間に前記第１のネットワークデバイスがネットワークパケットを記憶したと決定し、
前記第１のネットワークデバイスから前記記憶されたネットワークパケットを入手するように構成される、低電力ネットワークデバイス。
【請求項１３】
前記スリープ持続時間を決定するように構成される前記省電力ユニットは、スリープスケジュールを決定するように構成される前記省電力ユニットを備え、前記スリープスケジュールは、前記低電力ネットワークデバイスが前記スリープ持続時間にわたって前記スリープモードにある時間間隔を繰り返すことを含み、
または、前記第１のネットワークデバイスと前記低電力ネットワークデバイスとの間の情報の交換に基づいて前記スリープ持続時間を決定するように構成される前記省電力ユニットは、
省電力要件を前記低電力ネットワークデバイスから送り、
利用可能な記憶容量情報を前記第１のネットワークデバイスから受信し、
前記利用可能な記憶容量情報と、前記省電力要件とに基づいて前記スリープ持続時間を決定するように構成される前記省電力ユニットを備える、請求項１２に記載の低電力ネットワークデバイス。
【請求項１４】
前記通信ネットワークからの前記ネットワークパケットの前記リダイレクションを無効にするように構成される前記省電力ユニットは、前記通信ネットワークのアクセスポイントにあるアドレステーブル内のエントリを変更するように構成される前記省電力ユニットを備え、
または、前記省電力ユニットがさらに、
前記低電力ネットワークデバイスにおいて前記始動モードに入るのに応答して、前記通信ネットワークへのインターネットプロトコル（ＩＰ）接続がアクティブであるか否かを決定し、
前記通信ネットワークへの前記ＩＰ接続がアクティブでないと決定するのに基づいて、前記通信ネットワークへの前記ＩＰ接続を再確立するように構成される、請求項１２に記載の低電力ネットワークデバイス。
【請求項１５】
コンピュータプログラムであって、コンピュータ上で実行されるときに、請求項１から８のいずれかに記載の方法を実行するための命令を備える、コンピュータプログラム。
【手続補正２】
【補正対象書類名】明細書
【補正対象項目名】００８６
【補正方法】変更
【補正の内容】
【００８６】
[0090]単一の事例として本明細書において説明される構成要素、動作、または構造に関して、複数の事例が与えられ得る。最後に、様々な構成要素と、動作と、データストアとの間の境界はいくぶん恣意的であり、特定の動作が、特定の例示的な構成の文脈において示されている。機能の他の割り振りが考えられ、本発明の主題の範囲内に入り得る。概して、例示的な構成において別個の構成要素として提示された構造および機能は、組合された構造または構成要素として実装され得る。同様に、単一の構成要素として提示される構造および機能は、別個の構成要素として実装され得る。これらおよび他の変形、修正、追加、および改善は、本発明の主題の範囲内に入り得る。
以下に、本願出願の当初の特許請求の範囲に記載された発明を付記する。
［Ｃ１］
第１のネットワークデバイスにおいて、通信ネットワークの前記第１のネットワークデバイスと低電力ネットワークデバイスとの間に通信リンクを確立することと、
前記第１のネットワークデバイスにおいて、前記第１のネットワークデバイスと前記低電力ネットワークデバイスとの間の情報の交換に基づいて、前記低電力ネットワークデバイスのスリープモードに関連付けられるスリープ持続時間を決定することと、
前記第１のネットワークデバイスにおいて、前記低電力ネットワークデバイスが前記スリープモードにあるか否かを決定することと、
前記低電力ネットワークデバイスが前記スリープモードにあると決定するのに応答して、前記低電力ネットワークデバイスに向かうことになっている、前記通信ネットワークからのネットワークパケットを前記第１のネットワークデバイスにリダイレクトすることと、
前記通信ネットワークからの前記ネットワークパケットを前記第１のネットワークデバイスに記憶することと、
前記第１のネットワークデバイスが前記ネットワークパケットを記憶していることを前記低電力ネットワークデバイスに通知することとを備える、方法。
［Ｃ２］
前記通信リンクを前記確立することは、前記第１のネットワークデバイスと前記低電力ネットワークデバイスとの間で関連付け情報を交換することと、省電力情報を交換することとを備える、Ｃ１に記載の方法。
［Ｃ３］
前記関連付け情報を前記交換することは、前記第１のネットワークデバイスおよび前記低電力ネットワークデバイスのネットワークアドレスを交換することを備える、Ｃ２に記載の方法。
［Ｃ４］
前記省電力情報を前記交換することは、前記低電力ネットワークデバイスが電池駆動式デバイスであり、前記第１のネットワークデバイスが無停電電源に接続されることを指示する情報を交換することを備える、Ｃ２に記載の方法。
［Ｃ５］
前記スリープ持続時間を前記決定することは、スリープスケジュールを決定することを備え、前記スリープスケジュールは、前記低電力ネットワークデバイスが前記スリープ持続時間にわたって前記スリープモードにある時間間隔を繰り返すことを含む、Ｃ１に記載の方法。
［Ｃ６］
前記第１のネットワークデバイスと前記低電力ネットワークデバイスとの間の情報の交換に基づいて前記低電力ネットワークデバイスの前記スリープモードに関連付けられる前記スリープ持続時間を前記決定することは、
利用可能な記憶容量情報を前記低電力ネットワークデバイスに送ることと、
省電力要件を前記低電力ネットワークデバイスから受信することと、
前記利用可能な記憶容量情報と、前記省電力要件とに基づいて前記スリープ持続時間を決定することとを備える、Ｃ１に記載の方法。
［Ｃ７］
前記スリープ持続時間を前記決定することは、前記第１のネットワークデバイスと前記低電力ネットワークデバイスとの間の情報の交換に基づいて前記低電力ネットワークデバイスと前記スリープ持続時間をネゴシエートすることを備える、Ｃ１に記載の方法。
［Ｃ８］
前記低電力ネットワークデバイスは電池駆動式デバイスであり、前記第１のネットワークデバイスは無停電電源に接続されるネットワークデバイスである、Ｃ１に記載の方法。
［Ｃ９］
前記第１のネットワークデバイスにおいて、前記低電力ネットワークデバイスがアクティブモードにあると決定することと、
前記低電力ネットワークデバイスが前記アクティブモードにあると決定するのに基づいて、前記第１のネットワークデバイスにおいて記憶される前記リダイレクトされたネットワークパケットを前記低電力ネットワークデバイスに送ることとをさらに備える、Ｃ１に記載の方法。
［Ｃ１０］
前記第１のネットワークデバイスにおいて、前記低電力ネットワークデバイスが前記スリープモードにあるか否かを前記決定することは、
前記低電力ネットワークデバイスによって送られた電力管理ビットが設定されるか、リセットされるかを決定することを備える、Ｃ１に記載の方法。
［Ｃ１１］
前記低電力ネットワークデバイスに向かうことになっている、前記通信ネットワークからの前記ネットワークパケットを前記リダイレクトすることは、前記ネットワークパケットを前記第１のネットワークデバイスにリダイレクトするために、前記通信ネットワークのアクセスポイントにあるアドレステーブル内のエントリを変更することを備える、Ｃ１に記載の方法。
［Ｃ１２］
前記第１のネットワークデバイスがリダイレクトされたネットワークパケットを記憶していることを前記低電力ネットワークデバイスに前記通知することは、前記低電力ネットワークデバイスに、前記第１のネットワークデバイスが前記リダイレクトされたネットワークパケットを記憶していることを指示するトラフィック指示マップを送ることを備える、Ｃ１に記載の方法。
［Ｃ１３］
前記通信ネットワークのアクセスポイントにあるアドレステーブル内のエントリを変更することによって、前記低電力ネットワークデバイスに向かうことになっている、ネットワークパケットの前記リダイレクトを無効にすることをさらに含む、Ｃ１に記載の方法。
［Ｃ１４］
低電力ネットワークデバイスにおいて、通信ネットワークの前記低電力ネットワークデバイスと第１のネットワークデバイスとの間に通信リンクを確立することと、
前記低電力ネットワークデバイスにおいて、前記低電力ネットワークデバイスと前記第１のネットワークデバイスとの間の情報の交換に基づいて、前記低電力ネットワークデバイスのスリープモードに関連付けられるスリープ持続時間を決定することと、
前記低電力ネットワークデバイスにおいて前記スリープモードに入ることと、
前記スリープ持続時間の満了に応答して、前記低電力ネットワークデバイスにおいて始動モードに入ることと、
前記低電力ネットワークデバイスが前記スリープモードに入るのに応答して、前記第１のネットワークデバイスによって設定された、前記低電力ネットワークデバイスに向かうことになっている、前記通信ネットワークからのネットワークパケットのリダイレクションを無効にすること、
前記低電力ネットワークデバイスにおいて、前記低電力ネットワークデバイスが前記スリープモードにあった間に、前記第１のネットワークデバイスがネットワークパケットを記憶したと決定することと、
前記第１のネットワークデバイスから前記記憶されたネットワークパケットを入手することとを備える、方法。
［Ｃ１５］
前記通信リンクを前記確立することは、前記第１のネットワークデバイスと前記低電力ネットワークデバイスとの間で関連付け情報および省電力情報を交換することを備える、Ｃ１４に記載の方法。
［Ｃ１６］
前記スリープ持続時間を前記決定することは、スリープスケジュールを決定することを備え、前記スリープスケジュールは、前記低電力ネットワークデバイスが前記スリープ持続時間にわたって前記スリープモードにある時間間隔を繰り返すことを含む、Ｃ１４に記載の方法。
［Ｃ１７］
前記低電力ネットワークデバイスにおいて前記スリープモードに前記入ることは、前記スリープスケジュールに基づいて前記スリープモードに入ることを備える、Ｃ１６に記載の方法。
［Ｃ１８］
前記第１のネットワークデバイスと前記低電力ネットワークデバイスとの間の情報の交換に基づいて前記スリープ持続時間を前記決定することは、
省電力要件を前記低電力ネットワークデバイスから送ることと、
利用可能な記憶容量情報を前記第１のネットワークデバイスから受信することと、
前記利用可能な記憶容量情報と、前記省電力要件とに基づいて前記スリープ持続時間を決定することとを備える、Ｃ１４に記載の方法。
［Ｃ１９］
前記低電力ネットワークデバイスは電池駆動式デバイスであり、前記第１のネットワークデバイスは無停電電源に接続されるネットワークデバイスである、Ｃ１４に記載の方法。
［Ｃ２０］
前記スリープモードに入ると、前記通信ネットワーク内の前記第１のネットワークデバイスに指示を送ることをさらに備える、Ｃ１４に記載の方法。
［Ｃ２１］
前記低電力ネットワークデバイスにおいて前記始動モードに入るのに応答して、前記通信ネットワークとのインターネットプロトコル（ＩＰ）接続がアクティブであるか否かを決定することと、
前記通信ネットワークとの前記ＩＰ接続がアクティブでないと決定するのに基づいて、前記通信ネットワークとの前記ＩＰ接続を再確立することとをさらに備える、Ｃ１４に記載の方法。
［Ｃ２２］
前記通信ネットワークからの前記ネットワークパケットの前記リダイレクションを前記無効にすることは、前記通信ネットワークのアクセスポイントにあるアドレステーブル内のエントリを変更することを備える、Ｃ１４に記載の方法。
［Ｃ２３］
前記低電力ネットワークデバイスが前記スリープモードにあった間に、前記第１のネットワークデバイスがネットワークパケットを記憶したと前記決定することは、前記第１のネットワークデバイスによって設定されたトラフィック指示マップが、記憶されたネットワークパケットを指示するか否かを決定することを備える、Ｃ１４に記載の方法。
［Ｃ２４］
ネットワークデバイスであって、
ネットワークインターフェースと、
省電力ユニットとを備え、前記省電力ユニットは、
前記ネットワークデバイスにおいて、通信リンクを介しての前記ネットワークデバイスと低電力ネットワークデバイスとの間の情報の交換に基づいて、前記低電力ネットワークデバイスのスリープモードに関連付けられるスリープ持続時間を決定し、
前記ネットワークデバイスにおいて、前記低電力ネットワークデバイスが前記スリープモードにあるか否かを決定し、
前記低電力ネットワークデバイスが前記スリープモードにあると決定するのに応答して、前記低電力ネットワークデバイスに向かうことになっている、前記通信ネットワークからのネットワークパケットを前記ネットワークデバイスにリダイレクトし、
前記通信ネットワークからの前記ネットワークパケットを前記ネットワークデバイスにおいて記憶し、
前記ネットワークデバイスが前記ネットワークパケットを記憶していることを前記低電力ネットワークデバイスに通知するように構成される、ネットワークデバイス。
［Ｃ２５］
前記スリープ持続時間を決定するように構成される前記省電力ユニットは、スリープスケジュールを決定するように構成される前記省電力ユニットを備え、前記スリープスケジュールは、前記低電力ネットワークデバイスが前記スリープ持続時間にわたって前記スリープモードにある時間間隔を繰り返すことを含む、Ｃ２４に記載のネットワークデバイス。
［Ｃ２６］
前記第１のネットワークデバイスと前記低電力ネットワークデバイスとの間の情報の交換に基づいて前記低電力ネットワークデバイスの前記スリープモードに関連付けられする前記スリープ持続時間を決定するように構成される前記省電力ユニットは、
利用可能な記憶容量情報を前記低電力ネットワークデバイスに送り、
省電力要件を前記低電力ネットワークデバイスから受信し、
前記利用可能な記憶容量情報と、前記省電力要件とに基づいて前記スリープ持続時間を決定するように構成される前記省電力ユニットを備える、Ｃ２４に記載のネットワークデバイス。
［Ｃ２７］
前記省電力ユニットがさらに、
前記第１のネットワークデバイスにおいて、前記低電力ネットワークデバイスがアクティブモードにあると決定し、
前記低電力ネットワークデバイスが前記アクティブモードにあると決定するのに基づいて、前記ネットワークデバイスにおいて記憶された前記リダイレクトされたネットワークパケットを前記低電力ネットワークデバイスに送るように構成される、Ｃ２４に記載のネットワークデバイス。
［Ｃ２８］
前記低電力ネットワークデバイスに向かうことになっている、前記通信ネットワークからの前記ネットワークパケットをリダイレクトするように構成される前記省電力ユニットは、前記ネットワークパケットを前記ネットワークデバイスにリダイレクトするために、前記通信ネットワークのアクセスポイントにあるアドレステーブル内のエントリを変更するように構成される前記省電力ユニットを備える、Ｃ２４に記載のネットワークデバイス。
［Ｃ２９］
前記ネットワークデバイスが前記リダイレクトされたネットワークパケットを記憶することを前記低電力ネットワークデバイスに通知するように構成される前記省電力ユニットは、前記ネットワークデバイスが前記リダイレクトされたネットワークパケットを記憶していることを前記低電力ネットワークデバイスに指示するトラフィック指示マップを送るように構成される前記省電力ユニットを備える、Ｃ２４に記載のネットワークデバイス。
［Ｃ３０］
低電力ネットワークデバイスであって、
ネットワークインターフェースと、
省電力ユニットとを備え、前記省電力ユニットは、
前記低電力ネットワークデバイスにおいて、前記低電力ネットワークデバイスと第１のネットワークデバイスとの間の情報の交換に基づいて前記低電力ネットワークデバイスのスリープモードに関連付けられるスリープ持続時間を決定し、
前記低電力ネットワークデバイスにおいて前記スリープモードに入り、
前記スリープ持続時間の満了に応答して、前記低電力ネットワークデバイスにおいて始動モードに入り、
前記低電力ネットワークデバイスが前記スリープモードに入るのに応答して、前記第１のネットワークデバイスによって設定された、前記低電力ネットワークデバイスに向かうことになっている、前記通信ネットワークからのネットワークパケットのリダイレクションを無効にし、
前記低電力ネットワークデバイスにおいて、前記低電力ネットワークデバイスが前記スリープモードにあった間に前記第１のネットワークデバイスがネットワークパケットを記憶したと決定し、
前記第１のネットワークデバイスから前記記憶されたネットワークパケットを入手するように構成される、低電力ネットワークデバイス。
［Ｃ３１］
前記スリープ持続時間を決定するように構成される前記省電力ユニットは、スリープスケジュールを決定するように構成される前記省電力ユニットを備え、前記スリープスケジュールは、前記低電力ネットワークデバイスが前記スリープ持続時間にわたって前記スリープモードにある時間間隔を繰り返すことを含む、Ｃ３０に記載の低電力ネットワークデバイス。
［Ｃ３２］
前記第１のネットワークデバイスと前記低電力ネットワークデバイスとの間の情報の交換に基づいて前記スリープ持続時間を決定するように構成される前記省電力ユニットは、
省電力要件を前記低電力ネットワークデバイスから送り、
利用可能な記憶容量情報を前記第１のネットワークデバイスから受信し、
前記利用可能な記憶容量情報と、前記省電力要件とに基づいて前記スリープ持続時間を決定するように構成される前記省電力ユニットを備える、Ｃ３０に記載の低電力ネットワークデバイス。
［Ｃ３３］
前記省電力ユニットがさらに、
前記低電力ネットワークデバイスにおいて前記始動モードに入るのに応答して、前記通信ネットワークへのインターネットプロトコル（ＩＰ）接続がアクティブであるか否かを決定し、
前記通信ネットワークへの前記ＩＰ接続がアクティブでないと決定するのに基づいて、前記通信ネットワークへの前記ＩＰ接続を再確立するように構成される、Ｃ３０に記載の低電力ネットワークデバイス。
［Ｃ３４］
前記通信ネットワークからの前記ネットワークパケットの前記リダイレクションを無効にするように構成される前記省電力ユニットは、前記通信ネットワークのアクセスポイントにあるアドレステーブル内のエントリを変更するように構成される前記省電力ユニットを備える、Ｃ３０に記載の低電力ネットワークデバイス。
［Ｃ３５］
１つまたは複数のプロセッサによって実行されるときに、前記１つまたは複数のプロセッサに、
第１のネットワークデバイスにおいて、通信ネットワークの前記第１のネットワークデバイスと低電力ネットワークデバイスとの間に通信リンクを確立することと、
前記第１のネットワークデバイスにおいて、前記第１のネットワークデバイスと前記低電力ネットワークデバイスとの間の情報の交換に基づいて、前記低電力ネットワークデバイスのスリープモードに関連付けられるスリープ持続時間を決定することと、
前記第１のネットワークデバイスにおいて、前記低電力ネットワークデバイスが前記スリープモードにあるか否かを決定することと、
前記低電力ネットワークデバイスが前記スリープモードにあると決定するのに応答して、前記低電力ネットワークデバイスに向かうことになっている、前記通信ネットワークからのネットワークパケットを前記第１のネットワークデバイスにリダイレクトすることと、
前記通信ネットワークからの前記ネットワークパケットを前記第１のネットワークデバイスに記憶することと、
前記第１のネットワークデバイスが前記ネットワークパケットを記憶していることを前記低電力ネットワークデバイスに通知することとを備える動作を実行させる命令を記憶している、１つまたは複数の機械可読記憶媒体。
［Ｃ３６］
１つまたは複数のプロセッサによって実行されるときに、前記１つまたは複数のプロセッサに、
低電力ネットワークデバイスにおいて、通信ネットワークの前記低電力ネットワークデバイスと第１のネットワークデバイスとの間に通信リンクを確立することと、
前記低電力ネットワークデバイスにおいて、前記低電力ネットワークデバイスと前記第１のネットワークデバイスとの間の情報の交換に基づいて、前記低電力ネットワークデバイスのスリープモードに関連付けられるスリープ持続時間を決定することと、
前記低電力ネットワークデバイスにおいて前記スリープモードに入ることと、
前記スリープ持続時間の満了に応答して、前記低電力ネットワークデバイスにおいて始動モードに入ることと、
前記低電力ネットワークデバイスが前記スリープモードに入るのに応答して、前記第１のネットワークデバイスによって設定された、前記低電力ネットワークデバイスに向かうことになっている、前記通信ネットワークからのネットワークパケットのリダイレクションを無効にすること、
前記低電力ネットワークデバイスにおいて、前記低電力ネットワークデバイスが前記スリープモードにあった間に、前記第１のネットワークがネットワークパケットを記憶したと決定することと、
前記第１のネットワークデバイスから前記記憶されたネットワークパケットを入手することとを備える動作を実行させる命令を記憶している、１つまたは複数の機械可読記憶媒体。